(57)【特許請求の範囲】
【請求項１】
入力部と印刷部とを備える電子広告表示装置と、
入力部と撮影部とを備える携帯端末装置と、
管理サーバー装置と、
をネットワーク接続させて用いる広告アンケート方法であって、
アンケート回答者が、電子広告表示装置に表示されたアンケート付広告コンテンツを閲覧して、アンケートに回答するアンケート回答ステップと、
電子広告表示装置が、回答結果を受け付けて、アンケート識別情報を生成するアンケートＩＤ生成ステップと、
電子広告表示装置が、受け付けた回答結果と生成したアンケート識別情報とを用いて、第一のアンケート回答データを作成して,管理サーバー装置に記録するアンケート回答記録ステッ
プと、
電子広告表示装置が、生成したアンケート識別情報と管理サーバーアクセス情報を符号化した二次元コードを印刷する印刷ステップと、
携帯端末装置が、アンケート回答者の操作に基づき、印刷された二次元コードを撮影して、アンケート識別情報と管理サーバーアクセス情報を復号する二次元コード復号ステップと、
携帯端末装置が、アンケート回答者の入力情報に基づき、復号したアンケート識別情報を有する第二のアンケート回答データを作成する追加回答作成ステップと、
携帯端末装置が、復号した管理サーバーアクセス情報を用いてアクセスした管理サーバー装置に、第二のアンケート回答データを記録する追加回答記録ステップと、
管理サーバー装置が、第二のアンケート回答データのアンケート識別情報を用いて、第一のアンケート回答データのアンケート識別情報を参照して、両者が一致した時の第一のアンケート回答データと第二のアンケート回答データとを対応付けた対応データを作成する対応データ作成ステップと、
を含んだ手順でなされることを特徴とする広告アンケート方法。
【請求項２】
入力検知部とプリンターを具備する電子広告表示装置と、管理サーバー装置と、電子カメラを具備する携帯端末装置と、がネットワーク接続された広告アンケート管理システムであって、
前記電子広告表示装置は、
アンケート付広告コンテンツを格納する広告格納領域を有する記憶手段と、
アンケート付広告コンテンツを表示する広告表示手段と、
入力検知部にて検知された情報を用いて、アンケートの回答結果を作成し受け付ける回答結果受付手段と、
アンケート識別情報を生成する回答ＩＤ生成手段と、
受け付けた回答結果と、生成したアンケート識別情報と、を用いて、第一のアンケート回答データを作成するアンケート回答作成手段と、
作成した第一のアンケート回答データを管理サーバー装置に送信するアンケート回答送信手段と、
生成したアンケート識別情報と入力画面要求情報とを符号化した二次元コード画像を生成する二次元コード生成手段と、
二次元コード画像をプリンターにて印刷する印刷手段と、
を備えた表示装置であって、
前記管理サーバー装置は、
入力画面データを格納する入力画面格納領域と、
第一のアンケート回答データと、第二のアンケート回答データと、対応データと、を格納する回答データ格納領域と、
を有する記憶手段と、
電子広告表示装置が送信する第一のアンケート回答データを受信して、記録する第一アンケート回答記録手段と、
携帯端末装置からの入力画面請求情報を受け付けて、入力画面データを返信する入力画面返信手段と、
携帯端末装置が送信する第二のアンケート回答データを受信して記録する追加回答記録手段と、
受信した第二のアンケート回答データのアンケート識別情報を用いて、記録した第一のアンケート回答データのアンケート識別情報を参照して、両者が一致した時の第一のアンケート回答データと第二のアンケート回答データとを対応付けた対応データを作成して記録する対応データ作成手段と、
を備えたサーバー装置である、
ことを特徴とする広告アンケート管理システム。
【請求項３】
請求項２に記載の広告アンケート管理システムにおいて、
前記電子広告表示装置は、さらに、
電子カメラを備えて、
前記印刷手段は、
電子カメラが作成した撮影画像を、生成した二次元コードと合成して、合成画像を印刷する、
ことを特徴とする広告アンケート管理システム。
【請求項４】
請求項２に記載の広告アンケート管理システムにおいて、
前記電子広告表示装置は、
前記記憶手段が、予め、所定の画像データを記憶しており、
前記印刷手段が、
生成した二次元コードに所定の画像データを合成して、合成画像を印刷する、
ことを特徴とする広告アンケート管理システム。
【請求項５】
アンケート付広告コンテンツを格納する広告格納領域を有する記憶手段と、
アンケート付広告コンテンツを表示する広告表示手段と、
入力検知部にて検知された情報を用いてアンケートの回答結果を作成し受け付ける回答結
果受付手段と、
アンケート識別情報を生成する回答ＩＤ生成手段と、
受け付けた回答結果と、生成したアンケート識別情報と、を用いて、第一のアンケート回答データを作成するアンケート回答作成手段と、
作成した第一のアンケート回答データを管理サーバー装置に送信するアンケート回答送信手段と、
生成したアンケート識別情報と入力画面要求情報とを符号化した二次元コード画像を生成する二次元コード生成手段と、
二次元コード画像をプリンターにて印刷する印刷手段と、
を備えることを特徴とする電子広告表示装置。
【請求項６】
請求項５に記載の電子広告表示装置において、
さらに、電子カメラを備えて、
前記印刷手段は、
電子カメラが作成した撮影画像を、生成した二次元コードと合成して、合成画像を印刷する、
ことを特徴とする電子広告表示装置。
【請求項７】
請求項５に記載の電子広告表示装置において、
前記記憶手段が、予め、所定の画像データを記憶しており、
前記印刷手段が、
生成した二次元コードに所定の画像データを合成して、合成画像を印刷する、
ことを特徴とする電子広告表示装置。
【請求項８】
コンピュータに組込むことによって、コンピュータを請求項５から７までのいずれか一項に記載の電子広告表示装置として動作させるコンピュータプログラム。
【請求項９】
入力画面データを格納する入力画面格納領域と、
第一のアンケート回答データと、第二のアンケート回答データと、対応データと、を格納する回答データ格納領域と、
を有する記憶手段と、
電子広告表示装置が送信する第一のアンケート回答データを受信して、記録するアンケート回答記録手段と、
携帯端末装置からの入力画面請求情報を受け付けて、入力画面データを返信する入力画面返信手段と、
携帯端末装置が送信する第二のアンケート回答データを受信して記録する追加回答記録手段と、
受信した第二のアンケート回答データのアンケート識別情報を用いて、記録した第一のアンケート回答データのアンケート識別情報を参照して、両者が一致した時の第一のアンケート回答データと第二のアンケート回答データとを対応付けた対応データを作成して記録する対応データ作成手段と、
を備えたことを特徴とする管理サーバー装置。
【請求項１０】
コンピュータに組込むことによって、コンピュータを請求項９に記載の管理サーバー装置として動作させるコンピュータプログラム。
【発明の詳細な説明】
【技術分野】
【０００１】
本発明は、広告調査を管理する方法、システム、装置、プログラムに関するものである。
本発明は、特にデジタルサイネージを用いた広告商品のアンケート調査において、アンケート回答者の個人属性データ（たとえば、性別、年齢層、職種、住所など）を確実に収集したい場合に有用である。
【背景技術】
【０００２】
消費動向の多様化する現代社会においては、企業は、多数の商品を市場に投入して、広告を用いて販売促進を行なっている。
《Ａ．デジタルサイネージ・システム》
デジタル化された広告情報を、不特定多数の人々が集まる場所（屋外・店頭・公共空間・交通機関など）に設置した電子表示機器に、ネットワークを経由して発信するデジタルサイネージ・システムがある。
デジタルサイネージ・システムは、電子表示機器が設置された場所や表示時間に応じて広告情報を配信することができる。たとえば、デジタルサイネージ・システムの電子表示機器が設置されたイベント会場や展示会場、観光地、ショッピングモールなどに集まる人々の特性に合わせて、広告を配信して、これらの人々に商品広告を周知することができる。
たとえば、特許文献１の技術には、不特定多数の人々に商品を広告するために、サーバー４８ｘからネットワーク経由で提供された広告用映像を表示させ、また、表示された商品広告用映像をプリンター４６で印刷して持ち帰ることができる広告表示装置４１に関する技術が開示されている。
《Ｂ．広告アンケート》
また、デジタルサイネージ・システムは、タッチパネルを付加したり、携帯電話などの通信端末装置と連動したりすることで双方向のコミュニケーションをとることができるので、広告を閲覧する人々から、広告商品に対するアンケートを回収することが可能となる。
たとえば、特許文献２の技術には、広告情報が表示される大型平面ディスプレイ１とタッチ式入力パネル２からなる広告表示板を用いて、不特定多数の人々に広告を提供するとともに、広告を見た人々が容易に入力操作を行なえる技術が開示されている。
また、特許文献３の技術には、広告主体側サーバー８へのアクセス情報を埋め込んだ二次元コード３ｃと電子広告をディスプレイ装置２に表示させて、二次元コードをカメラ付携帯電話６で撮像して解読（＝復号）して、広告主体側サーバー８へのアクセスを可能とする技術が開示されている。
【先行技術文献】
【特許文献】
【０００３】
【特許文献１】特開２００２−２４４６０６号公報（段落［００３６］、［００４１］、［００４６］、図５）
【特許文献２】特開２０００−６６８４０号公報（段落［０００９］、図３）
【特許文献３】実用新案登録第３１０７７７号公報（段落［００２０］−［００２１］、図１）
【発明の概要】
【発明が解決しようとする課題】
【０００４】
しかしながら、デジタルサイネージ・システムを用いて不特定多数の人々のアンケート回答を得ようとすると以下のような不具合が生じる。
たとえば、アンケート回答者の個人属性データ（性別、年齢層、職種など）を入力させた場合に、その内容がデジタルサイネージシステムの大画面に表示されてしまうので、第三者に見られるというという不都合が生じる。
また、アンケート回答中は、回答者が広告表示の一部を遮ることになるので、他の人々が広告を見難くなり利便性が損なわれる。
本発明は以上のような点を解決するためになされたものであって、本発明の課題は、デジタルサイネージ・システムを用いて、広告商品に対して人々がどのような受け止め方をしているかを把握する広告商品のアンケート調査が確実に、効率よく行なえる管理方法、システム、装置、プログラムを提供することである。
【課題を解決するための手段】
【０００５】
本発明は、以下の各態様に記載の手段により、前記課題を解決する。
すなわち、本願発明の第１の発明は、
入力部と印刷部とを備える電子広告表示装置と、
入力部と撮影部とを備える携帯端末装置と、
管理サーバー装置と、
をネットワーク接続させて用いる広告アンケート方法であって、
アンケート回答者が、電子広告表示装置に表示されたアンケート付広告コンテンツを閲覧して、アンケートに回答するアンケート回答ステップと、
電子広告表示装置が、回答結果を受け付けて、アンケート識別情報を生成するアンケートＩＤ生成ステップと、
電子広告表示装置が、受け付けた回答結果と生成したアンケート識別情報とを用いて、第一のアンケート回答データを作成して,管理サーバー装置に記録するアンケート回答記録ステップと、
電子広告表示装置が、生成したアンケート識別情報と管理サーバーアクセス情報を符号化した二次元コードを印刷する印刷ステップと、
携帯端末装置が、アンケート回答者の操作に基づき、印刷された二次元コードを撮影して、アンケート識別情報と管理サーバーアクセス情報を復号する二次元コード復号ステップと、
携帯端末装置が、アンケート回答者の入力情報に基づき、復号したアンケート識別情報を有する第二のアンケート回答データを作成する追加回答作成ステップと、
携帯端末装置が、復号した管理サーバーアクセス情報を用いてアクセスした管理サーバー装置に、第二のアンケート回答データを記録する追加回答記録ステップと、
管理サーバー装置が、第二のアンケート回答データのアンケート識別情報を用いて、第一のアンケート回答データのアンケート識別情報を参照して、両者が一致した時の第一のアンケート回答データと第二のアンケート回答データとを対応付けた対応データを作成する対応データ作成ステップと、
を含んだ手順でなされることを特徴とする広告アンケート方法である。
このように、アンケート回答者は、広告表示装置と携帯電話とを用いて、アンケートの回答をすることができる。
広告内容の回答入力には、広告を閲覧しながら広告表示装置を用いることができる。
入力に時間を要する長い文章（たとえば、感想文など）の入力や、人に見られたくないアンケート回答者の個人属性情報（たとえば、氏名、住所、メールアドレスなど）の入力は、携帯電話を用いることができる。
本願発明の第２の発明は、
入力検知部とプリンターを具備する電子広告表示装置と、管理サーバー装置と、電子カメラを具備する携帯端末装置と、がネットワーク接続された広告アンケート管理システムであって、
前記電子広告表示装置は、
アンケート付広告コンテンツを格納する広告格納領域を有する記憶手段と、
アンケート付広告コンテンツを表示する広告表示手段と、
入力検知部にて検知された情報を取得して、アンケートの回答結果を作成し受け付ける回答結果受付手段と、
アンケート識別情報を生成する回答ＩＤ生成手段と、
受け付けた回答結果と、生成したアンケート識別情報と、を用いて、第一のアンケート回答データを作成する第一アンケート回答作成手段と、
作成した第一のアンケート回答データを管理サーバー装置に送信するアンケート回答送信手段と、
生成したアンケート識別情報と入力画面要求情報とを符号化した二次元コード画像を生成
する二次元コード生成手段と、
二次元コード画像をプリンターにて印刷する印刷手段と、
を備えた表示装置であって、
前記管理サーバー装置は、
入力画面データを格納する入力画面格納領域と、
第一のアンケート回答データと、第二のアンケート回答データと、対応データと、を格納する回答データ格納領域と、
を有する記憶手段と、
電子広告表示装置が送信する第一のアンケート回答データを受信して、記録する第一アンケート回答記録手段と、
携帯端末装置からの入力画面請求情報を受け付けて、入力画面データを返信する入力画面返信手段と、
携帯端末装置が送信する第二のアンケート回答データを受信して記録する追加回答記録手段と、
受信した第二のアンケート回答データのアンケート識別情報を用いて、記録した第一のアンケート回答データのアンケート識別情報を参照して、両者が一致した時の第一のアンケート回答データと第二のアンケート回答データとを対応付けた対応データを作成して記録する対応データ作成手段と、
を備えたサーバー装置である、
ことを特徴とする広告アンケート管理システムである。
本願発明の第３の発明は、
第２の発明に記載の広告アンケート管理システムにおいて、
前記電子広告表示装置は、さらに、
電子カメラを備えて、
前記印刷手段は、
電子カメラが作成した撮影画像を、生成した二次元コードと合成して、合成画像を印刷する、ことを特徴とする広告アンケート管理システムである。
本願発明の第４の発明は、
第２の発明に記載の広告アンケート管理システムにおいて、
前記電子広告表示装置は、
前記記憶手段が、予め、所定の画像データを記憶しており、
前記印刷手段が、
生成した二次元コードに所定の画像データを合成して、合成画像を印刷する、
ことを特徴とする広告アンケート管理システム。
本願発明の第５の発明は、
アンケート付広告コンテンツを格納する広告格納領域を有する記憶手段と、
アンケート付広告コンテンツを表示する広告表示手段と、
入力検知部にて検知された情報を取得して、アンケートの回答結果を作成し受け付ける回答結果受付手段と、
アンケート識別情報を生成する回答ＩＤ生成手段と、
受け付けた回答結果と、生成したアンケート識別情報と、を用いて、第一のアンケート回答データを作成するアンケート回答作成手段と、
作成した第一のアンケート回答データを管理サーバー装置に送信するアンケート回答送信手段と、
生成したアンケート識別情報と入力画面要求情報とを符号化した二次元コード画像を生成する二次元コード生成手段と、
二次元コード画像をプリンターにて印刷する印刷手段と、
を備えることを特徴とする電子広告表示装置である。
本願発明の第６の発明は、
第５の発明の電子広告表示装置において、
さらに、電子カメラを備えて、
前記印刷手段は、
電子カメラが作成した撮影画像を、生成した二次元コードと合成して、合成画像を印刷する、ことを特徴とする電子広告表示装置である。
本願発明の第７の発明は、
第５の発明の電子広告表示装置において、
前記記憶手段が、予め、所定の画像データを記憶しており、
前記印刷手段が、
生成した二次元コードに所定の画像データを合成して、合成画像を印刷する、
ことを特徴とする電子広告表示装置である。
本願発明の第８の発明は、
コンピュータに組込むことによって、コンピュータを第５から第７の発明までのいずれか一つの発明の電子広告表示装置として動作させるコンピュータプログラム。
本願発明の第９の発明は、
入力画面データを格納する入力画面格納領域と、
第一のアンケート回答データと、第二のアンケート回答データと、対応データと、を格納する回答データ格納領域と、
を有する記憶手段と、
電子広告表示装置が送信する第一のアンケート回答データを受信して、記録するアンケート回答記録手段と、
携帯端末装置からの入力画面請求情報を受け付けて、入力画面データを返信する入力画面返信手段と、
携帯端末装置が送信する第二のアンケート回答データを受信して記録する追加回答記録手段と、
受信した第二のアンケート回答データのアンケート識別情報を用いて、記録した第一のアンケート回答データのアンケート識別情報を参照して、両者が一致した時の第一のアンケート回答データと第二のアンケート回答データとを対応付けた対応データを作成して記録する対応データ作成手段と、
を備えたことを特徴とする管理サーバー装置である。
本願発明の第１０の発明は、
コンピュータに組込むことによって、コンピュータを第９の発明の管理サーバー装置として動作させるコンピュータプログラムである。
【発明の効果】
【０００６】
本願発明によれば、
（１）広告アンケートの回答時間の長短に応じて、回答する装置を使い分けることが可能である。
たとえば、アンケートの選択枝のような短時間で回答できるものは、その場で電子広告表示装置から入力してもらい、感想や意見のような長時間を要して回答するものは、後刻に、携帯電話から回答することが可能である。
回答時間が短縮できるので、混雑する会場でも、より多くの人々から、アンケートの回答を得ることができるという効果もある。
（２）回答する情報の性質に応じて、回答する装置を使い分けることが可能である。
たとえば、回答する情報が、第三者に見られたくない回答者の個人属性のは、場合には気兼ねしない場所から携帯電話で回答することが可能である。
以上のように、本発明によれば、電子広告表示装置においては、短時間の広告調査が可能となるので、より多くの人々から調査回答を得ることができるという効果がある。たとえば、絞り込まれた属性の人々が集まるコンサートや展覧会にてアンケートを実施することによって、特定の属性による人々の意見を、効率的に、より多く収集することが可能となる。
【図面の簡単な説明】
【０００７】
【図１】広告アンケート管理システム１の全体構成図である。
【図２】広告アンケート管理システムの大まかな作業・処理手順を説明する図である。
【図３】アンケート付広告の表示画面の例である。
【図４】二次元コード付撮影写真の例である。
【図５】入力画面の例である。
【図６】データの形式を説明する図である。
【図７】電子広告表示装置１００の詳細な構成図である。
【図８】アンケート回答データ作成処理のフローチャートである。
【図９】管理サーバー装置５００の詳細な構成図である。
【図１０】アンケート管理処理のフローチャートである。
【図１１】携帯端末装置３００の詳細な構成図である。
【図１２】追加回答データ入力処理のフローチャートである。
【図１３】電子カメラを備えない広告表示装置１００Ｂの詳細な構成図である。
【図１４】２種類のサーバー装置から構成される広告アンケート管理システム２の全体構成図である。
【図１５】デジタルサイネージ・サーバー装置５００Ｂの詳細な構成図である。
【図１６】管理サーバー装置５００Ｃの詳細な構成図である。
【図１７】所定の画像を格納する広告表示装置１００Ｃの詳細な構成図である。
【発明を実施するための形態】
【０００８】
以下、図面等を参照しながら、本発明の実施の形態について、更に詳しく説明する。
【実施例１】
【０００９】
図１は、本発明の実施の形態による広告アンケート管理システム１の概要を説明する全体構成図である。
広告アンケート管理システム１は、電子広告表示装置（タッチパネル式）１００と、管理サーバー装置５００と、携帯端末装置３００と、がネットワーク９００に接続されて構成される。
電子広告表示装置１００は、タッチパネル式の表示装置で、後述する専用プログラムを搭載したものである。また、電子広告表示装置１００は、写真を印刷するプリンター１０６と、電子カメラ１０５を備える。
管理サーバー装置５００は、既存のデータベース管理プログラムを備えたサーバーコンピューターに、後述する専用プログラムを搭載したものである。
携帯端末装置３００は、たとえば、既存の携帯電話で、ＷＥＢブラウザーを搭載したものである。
携帯端末装置３００は、アンテナ（基地局）６００と無線通信して、ゲートウェイ６１０を経由して、ネットワーク９００に接続する。
携帯端末装置３００は、ネットワーク接続されたパーソナルコンピューターでも良い。
図２は、広告アンケート管理システム１の大まかな作業手順と処理手順を説明する図である。
《Ａ．広告アンケートの回答》
（１）アンケート回答者が広告表示装置１００に表示されたアンケート付広告コンテンツのアンケートに回答する。
《Ｂ．二次元コード付撮影写真》
（２）広告表示装置１００の電子カメラがアンケート回答者を撮影して、二次元コード付撮影写真をプリントする。また、広告表示装置１００は、アンケート回答データ（第一のアンケート回答データと称することがある）と、写真撮影データを、管理サーバー装置５００に送信して保存する。
（３）アンケート回答者は、二次元コード付撮影写真を受け取り、持ち帰る。
《Ｃ．二次元コードを用いた回答者属性登録》
（４）アンケート回答者は、携帯電話３００のカメラを用いて、持ち帰った二次元コード付撮影写真の二次元コードを撮影・復号して、管理サーバー装置５００に入力画面を要求する。
（５）携帯電話３００は、アンケート回答者が管理サーバー装置５００から受け取った入力画面に入力した追加回答データ（たとえば、広告商品の感想文や、住所やメールアドレスのような個人属性情報など。第二のアンケート回答データ）を返信する。
（６）管理サーバー装置５００は、携帯電話３００から返信された追加回答データを登録するとともに、アンケート回答データと対応付ける対応データを作成して保存する。
図３には、タッチパネル式表示画面１０３に表示されたアンケート付広告コンテンツが例示されている。
例示されているアンケート付広告コンテンツは、商品広告部と、商品に対する好みの色を調査するアンケート部から構成されている。アンケート部には、広告商品の好みの色を回答するために、３つの回答ボタン１０３１（オブジェクト）が設定されている。３つのボタン１０３１には、ボタンに触れられる操作（イベント）を行なうと、所定の文字列を出力する機能（イベント・ハンドラー）が設定されている。たとえば、各回答ボタン１０３１に設定される文字列出力機能は、それぞれ「シルバー」、「ブルー」、「レッド」の文字列を出力する。
ここで、アンケート付広告コンテンツが表示されたタッチパネルに指が触れると、指の触れた位置に対応した回答ボタン１０３１（たとえば、「ブルー」ボタン）が触れられる操作が行なわれたと認識して、触れた回答ボタン１０３１に設定された、文字列を出力する機能が実行されて、文字列（「ブルー」）を出力する。
このように、アンケート回答者は、画面に表示されたアンケート付広告コンテンツに、指で触れるだけで、アンケートに簡単に回答することが可能である。
なお、イベントが実行された結果は、アンケートの回答として、管理サーバー装置５００に送信される。
図４には、撮影写真２９９が例示されている。
例示されている撮影写真２９９には、二次元コード２９９１と、アンケート回答者を含んだ人物が映っている。二次元コード２９９１には、管理サーバー装置５００に入力画面を要求するための情報（管理サーバー装置にアクセスして入力画面をリクエストする情報。入力画面リクエスト。たとえば、ＵＲＬ＝Ｕｎｉｆｏｒｍ  Ｒｅｓｏｕｒｃｅ  Ｌｏｃａｔｏｒ）が符号化されて埋め込まれている。
撮影写真２９９は、たとえば、該当月のカレンダーを合成して、卓上カンレンダーとして提供しても良い。
このように、魅力のある撮影写真２９９を提供することで、アンケートに回答してくれる人々が増加する可能性がある。
図５には、入力画面３０３が例示されている。
例示されている入力画面３０３は、抽選会の応募画面を兼ねている。
入力画面３０３は、住居地域や、性別、年代などを選択して入力するように構成されている。このように、アンケートに答えることで抽選会に参加する資格を与えて、この資格を行使する時に、個人属性データの入力をしてもらえばよい。
抽選会にて、撮影写真２９９のホルダーなどを贈るようにすることで、住所などのより詳細な個人属性の入力を、一層促進することが可能となる。
あるいは、アンケートに答えることで景品をもらう権利を与えて、この権利を行使する時に、個人属性データの入力をしてもらえばよい。
このように、インセンティブを用意すれば、アンケート回答や個人属性データの入力が促進されるという効果がある。
図６は、各種のデータの形式を説明する図である。
図６の（ａ）は、写真撮影テーブル５９１の形式を説明する図である。
写真撮影テーブル５９１は、写真撮影データ５９１０にデータ番号を関連付けて記録する。
データ番号は、写真撮影テーブル５９１上の写真撮影データを特定する番号である。
写真撮影データ５９１０は、アンケートＩＤ、撮影場所、撮影時刻などから構成される。
アンケートＩＤは、アンケート回答を識別する文字列である。
撮影場所は、撮影場所を特定する番号である。
撮影時刻は、撮影時刻を表す数字列である。
図６の（ａ）に例示されているデータ番号を関連付けた写真撮影データ５９１０は、「9,1234,1,9:30」である。この例の意味は、データ番号が「9」を関連付けた写真撮影データは、アンケートＩＤが「1234」であって、撮影場所が「1」であって、撮影時刻が「9:30」であるということである。
図６の（ｂ）は、アンケート回答テーブル５９３の形式を説明する図である。
アンケート回答テーブル５９３は、アンケート回答データ５９３０にデータ番号を関連付けて記録する。
データ番号は、アンケート回答テーブル５９３上のアンケート回答データを特定する番号である。
アンケート回答データ５９３０は、アンケートＩＤ、Ｑ１、Ｑ２、・・・などから構成される。
アンケートＩＤは、アンケート回答を識別する文字列である。
Ｑ１、Ｑ２、・・は、アンケートの各回答項目「Ｑ１」、「Ｑ２」、・・の回答結果を表す数字列である。
図６の（ｂ）に例示されているデータ番号を関連付けたアンケート回答データ５９３０は、「11,1234,4,3,1、・・・」である。この例の意味は、データ番号が「11」を関連付けたアンケート回答データは、アンケートＩＤが「1234」であって、アンケート設問項目「Ｑ１」の回答結果が「4」であって、「Ｑ２」の回答結果が「3」であって、「Ｑ３」の回答結果が「1」・・・であるということである。
図６の（ｃ）は、追加回答テーブル５９５の形式を説明する図である。
追加回答テーブル５９５は、追加回答データ５９５０にデータ番号を関連付けて記録する。
データ番号は、追加回答テーブル５９５上の追加回答データを特定する番号である。
追加回答データ５９５０は、アンケートＩＤ、メールアドレス、性別、年代、・・・などから構成される。
アンケートＩＤは、アンケート回答を識別する文字列である。
メールアドレスは、アンケート回答者の電子メールアドレスで、電子メールアドレス形式の文字列である。
性別は、男性、又は、女性を表す文字列である。
年代は、年齢層を表す数字列である。
図６の（ｃ）に例示されているデータ番号を関連付けた追加回答データ５９５０は、「23,1234,Aaa*@***,男,10,・・・」である。この例の意味は、データ番号が「23」を関連付けた追加回答データは、アンケートＩＤが「1234」であって、メールアドレスが「Aaa*@***」であって、性別が「男」であって、年代が「10」・・・であるということである。
図６の（ｄ）は、対応テーブル５９７の形式を説明する図である。
対応テーブル５９７は、対応データ５９７０を記録する。
対応データ５９７０は、アンケートＩＤ、写真撮影データ番号、アンケート回答データ番号、追加回答データ番号などから構成される。
アンケートＩＤは、アンケート回答を識別する文字列である。
写真撮影データ番号は、写真撮影データを特定する番号である。
アンケート回答データ番号は、アンケート回答データを特定する番号である。
追加回答テーブルデータ番号は、追加回答データを特定する番号である。
なお、対応テーブル５９７は、写真撮影テーブルデータ番号を構成として含まなくても良い。
図６の（ｄ）に例示されている対応データ５９７０は、「1234,9,11,23」である。この例の意味は、アンケートＩＤが共に「1234」である写真撮影データと、アンケート回答データと、追加回答データとは、それぞれのデータ番号が「9」、「11」、「23」であるということである。
図７は、電子広告表示装置１００の詳細な構成図である。
電子広告表示装置１００は、ＣＰＵ１０１と、表示部１０３と、入力検知部１０２と、撮影部１０５と、印刷部１０６と、ネットワーク通信部１０８と、記憶部１０９と専用プログラムとを備える。
ＣＰＵ１０１と、表示部１０３と、入力検知部１０２と、撮影部１０５と、印刷部１０６と、ネットワーク通信部１０８と、記憶部１０９とは、ＢＵＳ１９９で接続される。
ＣＰＵ１０１は、中央演算装置である。
表示部１０３は、液晶表示装置や有機ＥＬ表示装置やプラスマ表示装置などである。
入力検知部１０２は、タッチセンサーである。入力検知部１０２は、回答者の指が画面に触れた時の位置を検知して、接触座標情報を出力する。
表示部１０３と入力検知部１０２とにより、タッチパネル（アンケート回答受付部）を構成する。
撮影部１０５は、ＵＳＢ（Ｕｎｉｖｅｒｓａｌ  Ｓｅｒｉａｌ  Ｂｕｓ）接続装置のような通信アダプターで接続された電子カメラである。
撮影部１０５は、アンケートの回答者を撮影して撮影画像を作成する。
印刷部１０６は、ＵＳＢ（Ｕｎｉｖｅｒｓａｌ  Ｓｅｒｉａｌ  Ｂｕｓ）接続装置のような通信アダプターで接続されたプリンターである。
ネットワーク通信部１０８は、ＬＡＮアダプターである。
記憶部１０９は、半導体メモリーや磁気メモリーである。
記憶部１０９は、オペレーティングシステム１８５（＝ＯＳ）と、既存のデータベース管理プログラム１８３と、専用プログラムとを記憶する。
オペレーティングシステム１８５は、電子広告表示装置１００のハードウェア（たとえば、ＣＰＵ１０１と、表示部１０３と、入力検知部１０２と、撮影部１０５と、印刷部１０６と、ネットワーク通信部１０８と、記憶部５０９など）を管理・制御して、応用ソフトウエア（たとえば、専用プログラムなど）に対して、これらのハードウェアを利用できるようなサービスを提供する基本ソフトウエアである。
このほかに、広告表示手段１１０と、回答結果受付手段１２０と、回答ＩＤ生成手段１３０と、アンケート回答作成手段１４０と、アンケート回答送信手段１５０と、二次元コード生成手段１６０と、印刷手段１７０と、を備える。これらの各手段は、それぞれの専用プログラムによって実現され、専用プログラムがＣＰＵ１０１に解釈・実行されることによって機能する。
広告表示手段１１０は、管理サーバー装置５００が送信するアンケート付広告コンテンツを受信して、タッチパネルの表示部１０３に、回答ボタン１０３１を有する広告を表示する。
回答結果受付手段１２０は、タッチパネルの入力検知部１０２が出力する接触座標情報を取得して、この接触座標情報を用いて、広告コンテンツデータ１９１の回答ボタン表示位置座標を参照して、この接触座標情報に対応する回答ボタン１０３１（＝指が触れた回答ボタン）を特定して、指が触れた回答ボタン１０３１に設定された機能（たとえば、所定の文字列を出力する機能）を実行させて、実行結果(たとえば、出力された色情報)を回答結果として受け付ける。
なお、広告コンテンツの回答ボタンに設定された機能の詳細例は、図３にて説明したとおりである。
回答ＩＤ生成手段１３０は、アンケートＩＤを生成する。
アンケート回答作成手段１４０は、受け付けた回答結果と生成したアンケートＩＤとを用いて、アンケート回答データ５９３０を作成する。
アンケート回答送信手段１５０は、作成したアンケート回答データ５９３０を管理サーバー装置に送信する。
二次元コード生成手段１６０は、生成したアンケートＩＤと入力画面リクエスト（＝ＵＲＬ）を符号化して、二次元コード画像を生成する。
印刷手段１７０は、電子カメラ１０５が作成した撮影画像と、生成した二次元コードと、を合成して、合成画像を作成してプリンター１０６にて印刷する。
図８は、アンケート回答処理のフローチャートである。
（１）「広告表示処理」
広告表示手段１１０は、管理サーバー装置が送信するアンケート付広告コンテンツを受信して、タッチパネルの表示部１０３に、回答ボタン１０３１を含む広告を表示する。（ステップＳ１１０）
（２）「回答結果受付処理」
回答結果受付手段１２０は、タッチパネルの入力検知部１０２が出力する接触座標情報をを用いて、広告表示手段１１０が表示する広告コンテンツデータ１９１の回答ボタン表示位置座標を参照して、回答ボタン１０３１を特定して、記憶手段の広告コンテンツデータ１９１からこの回答ボタン１０３１に設定された機能を呼び出してこの機能を実行させて、実行結果を回答結果として受け付ける。（ステップＳ１２０）
（３）「回答ＩＤ生成処理」
回答ＩＤ生成手段１３０は、アンケートＩＤを生成して記憶部１０９に保持する。（ステップＳ１３０）
（４）「アンケート回答送信処理」
・アンケート回答作成手段１４０は、受け付けた回答結果と記憶部１０９に保持したアンケートＩＤとを用いて、アンケート回答データ５９３０を作成する。次に、アンケート回答送信手段１５０は、作成したアンケート回答データ５９３０を管理サーバー装置に送信する。（ステップＳ１４０）
（５）「二次元コード生成処理」
二次元コード生成手段１６０は、生成したアンケートＩＤと入力画面リクエスト（＝ＵＲＬ）を符号化して、二次元コード画像を生成して、記憶部１０９に保持する。（ステップＳ１５０）
（６）「二次元コード印刷処理」
印刷手段１７０は、電子カメラ１０５が作成した撮影画像と、保持した二次元コードと、を合成して、合成画像を作成してプリンター１０６にて印刷する。（ステップＳ１６０）
なお、印刷手段１７０は、保持した二次元コードのみをプリンター１０６にて印刷してもよい。
図９は、管理サーバー装置５００の詳細な構成図である。
管理サーバー装置５００は、ＣＰＵ５０１と、表示部５０３と、入力部５０２と、ネットワーク通信部５０４と、記憶部５０９と専用プログラムとを備える。
ＣＰＵ５０１と、表示部５０３と、入力部５０２と、ネットワーク通信部５０４と、記憶部（記憶手段）５０９とは、ＢＵＳ５９９で接続される。
ＣＰＵ５０１は、中央演算装置である。
表示部５０３は、液晶表示装置や有機ＥＬ表示装置である。
入力部５０２は、たとえば、マウスやキーボードである。
ネットワーク通信部５０４は、ＬＡＮアダプターである。
記憶部５０９は、半導体メモリーや磁気メモリーである。
記憶部５０９は、オペレーティングシステム５８５（＝ＯＳ）と、既存のデータベース管理プログラム５８３と、専用プログラムとを記憶する。
また、記憶部５０９は、広告コンテンツデータ１９１を格納する広告格納領域５０９１と、入力画面データ３９２を格納する入力画面格納領域５０９３と、写真撮影テーブル５９１と、アンケートＩＤを含むアンケート回答データ５９３０を記録するアンケート回答テーブル５９３と、アンケートＩＤを含む追加回答データ５９５０を記録する追加回答テーブル５９５と、アンケート回答データと追加回答データとを対応付けた対応データ５９７０を記録する対応テーブル５９７を格納するデータベース格納領域５０９２と、を有する。
オペレーティングシステム５８５は、管理サーバー装置５００のハードウェア（たとえば、ＣＰＵ５０１と、表示部５０３と、入力部５０２、その他）を管理・制御して、応用ソフトウエア（たとえば、データベース管理プログラム５８３や専用プログラムなど）に対して、これらのハードウェアを利用できるようなサービスを提供する基本ソフトウエアである。
データベース管理プログラム５８３は、データの集合であるデータベースの操作（データの登録・呼び出し・更新・削除など）や保守、管理をする既存のプログラムである。
この他に、広告コンテンツ送信手段５１０と、アンケート回答記録手段５２０と、入力画面返信手段５３０と、追加回答記録手段５４０と、対応データ作成手段５５０と、を備える。これらの各手段は、それぞれの専用プログラムによって実現され、専用プログラムがＣＰＵ５０１に解釈・実行されることによって機能する。
広告コンテンツ送信手段５１０は、アンケート付広告コンテンツデータ１９１を、電子広告表示装置に送信する。
アンケート回答記録手段５２０は、電子広告表示装置が送信するアンケート回答データ５９３０を受信してアンケート回答テーブル５９３に記録する。
入力画面返信手段５３０は、携帯端末装置３００からの入力画面リクエストを受け付けて、入力画面データ３９２を返信する。
追加回答記録手段５４０は、携帯端末装置が送信する追加回答データ５９５０を受信して追加回答テーブル５９５に記録する。
対応データ作成手段５５０は、受信した追加回答データのアンケートＩＤで構成される検索キュエリーを作成して、アンケート回答テーブル５９３を検索して、検索キュエリーのアンケートＩＤと一致したアンケートＩＤを有するアンケート回答データ５９３０を読み出して、アンケート回答データと追加回答データとを対応付けた対応データを作成して、対応テーブル５９７に記録する。
あるいは、データベースを用いない場合には、以下のような処理でも良い。対応データ作成手段５５０は、受信した追加回答データのアンケートＩＤを用いて、保存したアンケート回答データのアンケートＩＤを参照して、両者が一致した時のアンケート回答データと追加回答データとを対応付けた対応データを作成して、記録する。
図１０は、テーブル管理処理のフローチャートである。
（１）「アンケート付広告コンテンツ配付処理」
広告コンテンツ送信手段５１０は、アンケート付広告コンテンツを、電子広告表示装置に送信する。（ステップＳ２１０）
（２）「回答受付処理」
アンケート回答記録手段５２０は、電子広告表示装置が送信するアンケート回答データ５９３０を受信してアンケート回答テーブル５９３に記録する。（ステップＳ２２０）
（３）「入力画面配付処理」
入力画面返信手段５３０は、携帯端末装置３００が送信する入力画面リクエストを受け付けて、入力画面データを返信する。（ステップＳ２３０）
（４）「追加回答回収処理」
追加回答記録手段５４０は、携帯端末装置が送信する追加回答データ５９５０を受信して追加回答テーブル５９５に記録する。（ステップＳ２４０）
（４）「対応付け処理」
対応データ作成手段５５０は、受信した追加回答データのアンケートＩＤを用いて、保存したアンケート回答データのアンケートＩＤを参照して、両者が一致した時のアンケート回答データと追加回答データとを対応付けた対応データを作成して、対応テーブル５９７に記録する。（ステップＳ２５０）
図１１は、携帯端末装置３００の詳細な構成図である。
携帯端末装置３００は、ＣＰＵ３０１と、表示部３０３と、入力部３０２と、電子カメラ３０４と、マイク３０５と、スピーカー３０６と、電源部３０７と、無線通信部３０８と、記憶部３０９と専用プログラムとを備える。
ＣＰＵ３０１と、表示部３０３と、入力部３０２と、電子カメラ３０４と、マイク３０５と、スピーカー３０６と、無線通信部３０８と、記憶部３０９とは、ＢＵＳ３９９で接続される。
ＣＰＵ３０１は、中央演算装置である。
表示部３０３は、液晶表示装置や有機ＥＬ表示装置である。
入力部３０２は、キーボード、あるいは、表示部１０３に表示されたソフトキーボードで
ある。
電源部３０７は、二次電池である。電源部３０７は、他の回路に電源を供給する。
無線通信部３０８は、アンテナコイルを接続した無線発振回路（ＲＦ回路）である。無線発振回路は、無線信号をデータに変換する受信回路、および、データを無線信号に変換する送信回路などから構成されている。無線信号は、アンテナコイルを経由して基地局６００と送受信される。無線通信部３０８は、Ｗ−ＣＤＭＡ方式の無線通信機能を含む。Ｗ−ＣＤＭＡ方式は、国際電気通信連合（ＩＴＵ）が定める通信規格「ＩＭＴ−２０００」に準拠した第３世代移動通信システムの一つの無線通信形式である。
記憶部３０９は、半導体メモリーや磁気メモリーである。
記憶部３０９は、オペレーティングシステム３８５と、ＷＥＢブラウザー３８４と専用プログラムを記憶する。
オペレーティングシステム３８５は携帯端末装置のハードウェア（たとえば、ＣＰＵ３０１と、表示部３０３その他など）を管理・制御して、応用ソフトウエア（たとえば、ＷＥＢブラウザー３８４や専用プログラムなど）に対して、これらのハードウェアを利用できるようなサービスを提供する基本ソフトウエアである。
ＷＥＢブラウザー３８４は、既存のブラウザーである。ブラウザーは、Ｗｅｂサーバーと通信して取り寄せたリソース（たとえば、ＨＴＭＬで記述されたテキスト、画像など）を表示閲覧するプログラムである。また、ＷＥＢブラウザー３８４は、表示閲覧されたテキスト、画像などに対する入力操作（テキストの入力やハイパーリンクの選択など）を受け付ける。
このほかに、二次元コード解読手段３１０と、入力画面要求手段３２０と、追加回答データ作成手段３４０と、を備える。これらの各手段は、それぞれの専用プログラムによって実現され、専用プログラムがＣＰＵ３０１に解釈・実行されることによって機能する。
二次元コード解読手段３１０は、電子カメラが撮影した撮影写真の二次元コードを復号して、入力画面リクエスト（ＵＲＬ）とアンケートＩＤを読み出す。
入力画面要求手段３２０は、読み出した入力画面リクエストをＷＥＢブラウザー３８４に設定する。
ＷＥＢブラウザー３８４は、設定された入力画面リクエストを用いて、管理サーバー装置５００にアクセスして、入力画面データ３９２を受け取り、これを表示する。
また、ＷＥＢブラウザー３８４は、アンケート回答者が入力する情報（広告の感想文や、個人属性情報）を受け付ける。
追加回答データ作成手段３４０は、受け付けた入力情報と、復号したアンケートＩＤとを含む追加回答データ５９５０を作成して、管理サーバー装置５００に送信する。
なお、
図１２は、属性データ入力処理のフローチャートである。
（１）「二次元コード解読処理」
二次元コード解読手段３１０は、電子カメラ１０５が撮影した二次元コードを受信して、これを復号して、入力画面リクエスト（たとえば、ＵＲＬ）とアンケートＩＤを読み出す。（ステップＳ３１０）
（２）「入力画面表示」
入力画面要求手段３２０は、読み出したＵＲＬをＷＥＢブラウザー３８４に設定する。次に、ＷＥＢブラウザー３８４は、設定されたＵＲＬを用いて、管理サーバー装置５００にアクセスして、入力画面データ３９２を受け取り、これを表示する。（ステップＳ３２０）
（２）「追加回答データ作成処理」
ＷＥＢブラウザー３８４は、アンケート回答者が入力する入力情報を受け付ける。次に、追加回答データ作成手段３４０は、受け付けた入力情報と、読み出したアンケートＩＤとを含む追加回答データ５９５０を作成して、管理サーバー装置５００に送信する。（ステップＳ３３０）
【実施例２】
【００１０】
撮影部を有さない電子広告表示装置を用いた広告アンケート管理システム２の実施例について説明する。
電子カメラ有さない電子広告表示装置を用いた広告アンケート管理システム２は、撮影部を有さない電子広告表示装置１００Ｂと、管理サーバー装置５００と、携帯端末装置３００と、がネットワーク９００に接続されて構成される。
ここで、広告アンケート管理システム２の管理サーバー装置５００と、携帯端末装置３００とは、広告アンケート管理システム１のそれぞれの装置と同じである。
図１３は、電子広告表示装置１００Ｂの詳細な構成図である。
電子広告表示装置１００Ｂのハードウェア構成は、図７の電子広告表示装置１００のハードウェア構成から、撮影部を除去したものと同じである。
記憶部１０９は、図７の電子広告表示装置１００の記憶部１０９に、画像格納領域を追加したものである。画像格納領域は所定の画像１９３を格納する。
所定の画像は、たとえば、有名人の写真や、著名な美術品や、キャラクターなどのように、希望者の多い画像である。また、所定の画像は、卓上カンレンダー画像でも良い。
記憶部１０９の専用プログラムの印刷手段１７０は、画像格納領域が格納する所定の画像と、生成した二次元コードと、を合成して、合成画像を作成してプリンター１０６にて印刷する。
記憶部１０９の専用プログラムのこの他の手段は、図７の電子広告表示装置１００のそれぞれの手段と同じ内容である。
手段の構成は、図７の電子広告表示装置１００の専用プログラムの構成と同じである。
【実施例３】
【００１１】
広告コンテンツと広告アンケート回答とを異なるサーバー装置で管理する広告アンケート管理システム３の実施例について、説明する。
図１４は、広告アンケート管理システム３の全体構成図である。
広告アンケート管理システム３は、広告アンケート管理システム１の管理サーバー装置５００から、電子広告コンテンツを管理配信する機能を分離して、この電子広告コンテンツ管理配信機能を異なるサーバー装置で実現したものである。
広告アンケート管理システム３は、電子広告表示装置（タッチパネル式）１００と、デジタルサイネージ・サーバー装置５００Ｂと、管理サーバー装置５００Ｃと、携帯端末装置３００と、がネットワーク９００に接続されて構成される。
電子広告表示装置１００と携帯端末装置３００とは、図１の広告アンケート管理システム１の電子広告表示装置１００と携帯端末装置３００と同じものである。
デジタルサイネージ・サーバー装置５００Ｂは、広告アンケート管理システム１の管理サーバー装置５００から、電子広告コンテンツを管理配信する機能以外を除去したサーバーコンピューターである。
管理サーバー装置５００Ｃは、アンケート管理システム１の管理サーバー装置５００から、電子広告コンテンツを管理配信する機能を除去したサーバーコンピューターである。
図１５は、デジタルサイネージ・サーバー装置５００Ｂの詳細な構成を説明する図である。
デジタルサイネージ・サーバー装置５００Ｂは、アンケート管理システム１の管理サーバー装置５００の記憶部５０９から、オペレーティングシステム１８５と、広告コンテンツ１９１を格納する広告格納領域１０９１と、専用プログラムの広告コンテンツ送信手段５１０を残して、それ以外のものを除去したものである。
デジタルサイネージ・サーバー装置５００Ｂは、アンケート付広告コンテンツを電子広告表示装置１００に配付するサーバー装置である。
図１６は、管理サーバー装置５００Ｃの詳細な構成を説明する図である。
管理サーバー装置５００Ｃは、アンケート管理システム１の管理サーバー装置５００の記憶部５０９から、広告コンテンツデータ１９１と広告格納領域５０９１と専用プログラムの広告コンテンツ送信手段５１０とを、除去したものである。
管理サーバー装置５００Ｃは、広告アンケートの回答を管理するサーバー装置である。
【実施例４】
【００１２】
タッチパネルを備えない電子広告表示装置を用いる広告アンケート管理システム４の実施例について、説明する。
図１７は、電子広告表示装置１００Ｃの詳細な構成を説明する図である。
広告アンケート管理システム４の電子広告表示装置１００Ｃの入力検知部１０２Ｃは、広告アンケート管理システム１の電子広告表示装置１００のアンケート回答受付部の入力検知部１０２であるタッチセンサーを、押しボタン、または、キーに置き換えたものである。なお、電子広告表示装置１００Ｃのその他のハードウェア構成は、電子広告表示装置１００のハードウェア構成と同じである。
電子広告表示装置１００Ｃの回答結果受付手段１２０は、入力検知部１０２Ｃが受け付けた入力情報（たとえば、シルバーを意味する「押しボタン１」の入力情報）を用いて、回答結果（好みの色は「シルバー」）を作成する。その他の手段は、電子広告表示装置１００の手段と同じである。
以上のように、本発明によれば、広告のアンケートに回答する時に、回答する情報の特性に応じて、回答する装置を使い分けることによって、
（１）短時間でアンケートに回答できるので、電子広告表示装置を閲覧する他の人々の邪魔にならないという効果が生じる。
（２）また、第三者に見られたくない回答者の個人属性などの情報を、他人を気兼ねしない場所から回答することが可能となる効果が生じる。
【符号の説明】
【００１３】
１  広告アンケート管理システム
１００  電子広告表示装置、タッチパネル式電子広告表示装置
１００Ｂ  撮影部を有しない電子広告表示装置
１００Ｃ  タッチパネルを有しない電子広告表示装置
１０５  電子広告表示装置の電子カメラ
１０６  電子広告表示装置のプリンター
１０３  アンケート付広告の表示画面、表示部
１１０  広告表示手段
１２０  回答結果受付手段
１３０  回答ＩＤ生成手段
１４０  アンケート回答作成手段
１５０  アンケート回答送信手段
１６０  二次元コード生成手段
１７０  印刷手段
１９１  広告コンテンツデータ
２９９  撮影写真、二次元コード付撮影写真、二次元コード付合成写真、合成写真、
３００  携帯電話、携帯端末装置
３０４  携帯電話の電子カメラ
３１０  二次元コード解読手段
３２０  入力画面要求手段
３４０  追加回答データ作成手段
３８４  ＷＥＢブラウザー
３９２  入力画面データ
３０３  入力画面、表示部
５００  管理サーバー装置
５００Ｂ  デジタルサイネージ・サーバー装置
５００Ｃ  管理サーバー装置
５１０  広告コンテンツ送信手段
５２０  アンケート回答記録手段
５３０  入力画面返信手段
５４０  追加回答記録手段
５５０  対応データ作成手段
５９１  写真撮影テーブル
５９１０  写真撮影データ
５９３  アンケート回答テーブル
５９３０  アンケート回答データ、第一のアンケート回答データ
５９５  追加回答テーブル
５９５０  追加回答データ、第二のアンケート回答データ
５９７  対応テーブル
５９７０  対応データ
６００  アンテナ（基地局）
６１０  ゲートウェイ
９００  ネットワーク
【図１】
0005560741.tif 000002
【図２】
0005560741.tif 000003
【図３】
0005560741.tif 000004
【図４】
0005560741.tif 000005
【図５】
0005560741.tif 000006
【図６】
0005560741.tif 000007
【図７】
0005560741.tif 000008
【図８】
0005560741.tif 000009
【図９】
0005560741.tif 000010
【図１０】
0005560741.tif 000011
【図１１】
0005560741.tif 000012
【図１２】
0005560741.tif 000013
【図１３】
0005560741.tif 000014
【図１４】
0005560741.tif 000015
【図１５】
0005560741.tif 000016
【図１６】
0005560741.tif 000017
【図１７】
0005560741.tif 000018